Podtech/llm-jp-corpus-v4-ja_patent huggingface dataset:
(57)【要約】      （修正有）【課題】理美容鋏において、使用者が独自で使用目的に合った切れ味を確保することが出来、軽快かつ確実に毛髪を切断する出来るようにすることを課題とする。【解決手段】別個に製造した刃身部１と平身部２の凹凸部を嵌め合わせ、刃身部１と平身部２との嵌合部分を貫通するように側面より穴加工を施し、接合ピン３を挿入する。次に角度調整プレート４を、３個の平身部固定ネジ５で平身部２に固着ことで、平身部２と角度調整プレート４は一体し、その鋏の刃と刃の噛み合わせは、すなわち鋏の使用者は角度調整プレート４の２個のネジ（調整ネジ６と引上げネジ８）の締め具合で上刃体１０に曲線状の撓みをもたせ、相対的角度変化が可能とする。【選択図】図１
2009082669.tif 000002
【特許請求の範囲】
【請求項１】
２枚の刃、すなわち上刃体と下刃体を要部で接合して開閉させる鋏において、上刃体もしくは下刃体、あるいは両刃体を、刃身部と平身部を個別に製造し、両者を可動が可能な方法で接合する。前記により、刃身部から平身部までが一体となった刃体となすものである。よってこの鋏は、従来の一体的な刃体とは異なり、接合部が可動することにより、平身部に対する刃身部の角度をネジで容易に調整できる構造。
【発明の詳細な説明】
【技術分野】
【０００１】  本発明は従来の理美容鋏を改良したものである。
【背景技術】
【０００２】  従来の理美容鋏（主に毛髪を切断する為に使用する鋏をいう）は、刃身部と平身部が一体となった上刃体と下刃体が要部（通常ネジ部）でネジ接合されている。その鋏は、両刃体が接触する接点部（以下触点という）が存し、両刃体の開閉においては絶えず、触点が、接触、接圧しながら力点となり、要部を支点とし、作用点としての両刃体が毛髪を切断する構造であった。従って、毛髪を切断するためには、両刃体間に微妙な噛み合わせが要請されることになる。両刃体が直線であればこの噛み合わせは生じず、両刃体を噛み合わすためには、製造過程において両刃体に常に適切な曲線状の撓みを持たせる製造元や専門家の技術が不可欠であった。
【発明の開示】
【発明が解決しようとする課題】
【０００３】  理美容鋏は、使用者が使用（毛髪の切断）を重ねるにつれ、使い傷みによる歪み、あるいは使用者の癖、または不慮の落下等様々な要因により、製造時の適切な撓みから逸脱し、歪みを生ずる場合がある。この歪みは、毛髪を切断する際の切れの悪さや、使用者への不快な使用感、しいては疲労の増大へとつながることもある。こうした歪みが生じた場合は、使用者本人による適切な撓みへの修正は困難なものであり、大抵が製造元や専門家へ修正を依頼するのが一般的である。そうなれば、使用者は時間的・経済的損失を招くことになり、この歪みの修正を使用者本人が可能にすることが解決しようとする課題の一つである。【０００４】  理美容鋏の使用者は、使用目的（カット技法等）や使用者の好み（使用感）を、この適切な撓みを微調整することにより、より効率的、また快適に鋏を使用することができるのだが、一つめの課題同様、目的に応じた適切な撓みへの調整は、歪みの修正と同様の技術を要し、使用者本人には困難なものである。
本発明が解決しようとする課題は、使用者が理美容鋏を、より快適且つ目的に応じた使用とするための適切な撓みの微調整を、製造元や専門家に依頼することなく、使用者本人が独自で調整・修正を可能とし、時間的・経済的負担が軽減されることを目的としたものである。
【課題を解決するための手段】
【０００５】  鋏の両刃体の開閉時における噛み合わせを、簡単な方法で調節する手段としては、両刃体、もしくは一方の刃体において、刃身部と平身部とを別個に製造し、刃身部が擦り合わす相手の刃身部への噛み合わせ圧力を平身部に対して調整するようにすればよい。
すなわち平身部は相手刃体と貫通ネジで開閉できる程度に締結されているのであるから刃身部が平身部に対し、ピンもしくはネジ等で相対的角度が調節する事ができれば、鋏の開閉時における噛み合わせが、調節される事になる。
本発明は、平身部に角度調整プレートを固着し、２個のネジ（調整ネジと引上げネジ）とを相互に調整する事で、鋏の開閉時における噛み合わせを調節することを可能とするものである。
【発明の効果】
【０００６】  使用者が、製造元や専門家の技術に頼ることなく鋏の調整が出来、独自でネジを調整することにより鋏の切れを確保し、使用目的に合った調整を可能とする効果が得られる。【０００７】  使用者は往々にして、理美容鋏の使用時において、使用者個々の癖が生じる場合がある。従来の一体製造型刃体の理美容鋏の場合、柄部で起こす使用者の癖が、柄部から平身部へ伝わり、最終的に作用点である刃身部にまで影響を及ぼすことになる。しかし、別個に製造した刃身部と平身部を可動する形で接合することにより、接合部位において使用者の癖の影響を吸収し、刃身部への伝播を防ぐ事が可能となる。すなわち、使用者の癖による刃身部への悪影響を軽減させることにより、刃部へのダメージを低減させるという効果も生じることとなる。
【実施例１】
【０００８】  図１の分解図に基づいて説明する。
別個に製造した刃身部１と平身部２の凹凸部を嵌め合わせ、刃身部１と平身部２との嵌合部分を貫通するように側面より穴加工を施し、接合ピン３を挿入する。次に角度調整プレート４を、３個の平身部固定ネジ５で平身部２に固着する。
そうすることで、平身部２と角度調整プレート４は一体化されたことになる。
以上の構造から別個に製造された刃身部１と平身部２は、接合ピン３の軸を中心として相対的角度変化が可能となる。
以上のように構成された上刃体１０を下刃体９と貫通ネジ７で接合し１丁の鋏を形成させ、その鋏の刃と刃の噛み合わせは、以下の方法で調整する。
すなわち鋏の使用者は角度調整プレート４の２個のネジ（調整ネジ６と引上げネジ８）の締め具合で上刃体１０に曲線状の撓みをもたせることができ、この撓みを微調整することにより、使用者は目的と好みに合った刃と刃の噛み合わせを作り出すことが出来る。
【産業上の利用可能性】
【０００９】  ２枚の刃、すなわち上刃と下刃を要部で接合して、擦り合わせて切る構造の鋏において、例えば、園芸鋏や刈り込み鋏等は太い枝や固い枝を剪定すれば鋏の歪みも生じ易い。またラシャ切り等も厚地を裁断すると噛み合わせがくるって、薄地を裁断する際は生地が逃げたり、噛んだりする。このように歪んだ用具は、大半が使い捨てられるものであった。本発明の構造を利用すれば、木々の剪定や生地の裁断する用途に合わせて適宜ネジ調整が出来て歪みも解消される為、用具を長く軽快に使用することが可能とされるものである。
【図面の簡単な説明】
【００１０】
【図１】請求項１の要部分解斜視図である。
【符号の説明】
１    刃身部
２    平身部
３    接合ピン
４    角度調整プレート
５    平身部固定ネジ
６    調整ネジ
７    貫通ネジ
８    引上げネジ
９    下刃体
１０    上刃体
１１    柄部
【図１】
2009082669.tif 000003
(57)【要約】【課題】  高齢者や足腰に障害を持つ者等でも、パンツ等の下着を一人で簡単にはくことができる下半身用の下着の着用補助具を提供する。【解決手段】  柄部の下端部に脱着可能な開口部を設けた輪状の薄板型弾性体でできた張出部を有し、柄部を鉛直姿勢にした状態で上面視で輪状になっている張出部を平らにし、柄部と平行に折畳み、張出部を平らな状態で固定できる溝部を設けた下半身用の下着の着用補助具。【選択図】図１
2009082666.tif 000002
【特許請求の範囲】
【請求項１】
柄部の下端部に脱着可能な開口部を設けた輪状の弾性体で出来た張出部を有していることを特徴とする下半身用の下着の着用補助具。
【請求項２】
柄部を鉛直姿勢にした状態で、上面視で輪状になっている張出部を平らにし、柄部と平行に折畳み固定することを特徴とする請求項１記載の下半身用の下着の着用補助具。
【請求項３】
柄部には張出部を格納するための溝を設け、輪状の張出部を折畳むことにより、張出部を平らに固定することを特徴とする請求項１又は請求項２記載の下半身用の下着の着用補助具。
【発明の詳細な説明】
【技術分野】
【０００１】  本発明は、高齢者や足腰に障害を持つ者等でも、パンツ等の下着を一人で簡単にはくことができるように工夫した下半身用の下着の着用補助具に関するものである。
【背景技術】
【０００２】  従来、高齢者や足腰に障害を持つ者等にとっては、毎日の入浴後に「下着をはく」という動作は、両手が塞がった状態で深く屈んだ中腰の姿勢をとらねばならず、最も痛い部分に負荷がかかり、とてもつらいものであった。
また、従来、下着を着用補助具では、不安定で下着を補助具に装着しにくい上、たとえば、パンツのゴムひもの部分をしっかり押し広げられないものであった。
【発明の開示】
【発明者が解決しようとする課題】
【０００３】  そのため次のような問題点があった。
（イ）下着を着用するとき、たとえば、パンツのゴムひもの部分を両手で押し広げておか    ねばならず、両手が塞がった状態で不安定な姿勢をとると転倒等の危険があった。
（ロ）足や腰に障害を持つ者が、パンツ等をはくために深く屈んだ姿勢をとることは、苦    痛を伴うものであった。
（ハ）従来の下着の着用補助具は、不安定な形状で、たとえば、パンツを下着の着用補助    具に装着しにくいものであった。
（ニ）従来の下着の着用補助具では、パンツのゴムひもの部分をしっかり押し広げた状態    を維持することが困難であった。
（ホ）従来の下着の着用補助具は、立体的な形状で、コンパクトに収納しにくいものであ    った。
本発明は、以上の問題点を解決しようとするものである。
【課題を解決するための手段】
【０００４】  柄部（２）の下端部に脱着可能な開口部を設けた輪状の薄板型弾性体でできた張出部（１）を着装する。
張出部（１）と柄部（２）を着装した着装部（４）は稼動可能な状態にする。
柄部を鉛直姿勢にした状態で、上面視で輪状になっている張出部を平らにし、着装部（４）を柄部と平行に折畳み、張出部（１）を固定できる溝部（３）を設ける。
以上を特徴とする下着の着用補助具である。
【発明の効果】
【０００５】  本発明を使用すると、片手で簡単に下着を引き上げることが出来るので、高齢者や足腰に障害がある者が深く屈んだ苦しい姿勢をとらずに、かつ手すり等に掴まって安全に下着を着用することができる。
パンツ等の下着を簡単に着用補助具に装着できる上、コンパクトに収納できるので、大変便利である。
【発明を実施するための最良の形態】
【０００６】  以下、本発明の実施の形態について説明する。
（イ）柄部（２）の下端部に脱着可能な開口部を設けた輪状の薄板型弾性体でできた張出    部（１）を着装する。
（ロ）張出部（１）と柄部（２）を着装した着装部（４）は稼動可能な状態にする。
（ハ）柄部を鉛直姿勢にした状態で、上面視で輪状になっている張出部を平らにし、着装  部（４）を柄部と平行に折畳み、張出部（１）を平らな状態で固定できる溝部（３）を  設ける。
（ニ）着用補助具の張出部（１）には、平らな状態でも、輪状の状態でもずれないように    脱着可能な結合部（５）を設ける。
本発明は以上のような構成である。
本発明の使い方を説明する。
着用補助具の張出部（１）を固定した状態で、張出部下端（６）と張出部上端（７）に、パンツ等下着のゴムひもの部を装着する（図３）。
次に、着装部（４）を支点として、張出部上端（７）と柄部（２）を持って開くことにより、張出部（１）が輪状に開き、パンツ等下着のゴムひもの部分を押し広げた状態で固定すれば、下着の着用の準備が完了する（図４）。
その後、下着の胴挿入孔（８）、及び足挿入孔（９）に足を通し、膝上まで引き上げる。
着用補助具を外側斜め上方向に引くと、結合部（５）が外れ、輪状の張出部（１）の開口部が開き、着用補助具が足から外れる（図５）。
【図面の簡単な説明】
【０００７】
【図１】  本発明の開いた状態の斜視図である。
【図２】  本発明の折畳んだ状態の正面図である。
【図３】  本発明の使用状態を示した折畳んだ状態の斜視図である。
【図４】  本発明の使用状態を示した開いた状態の斜視図である。
【図５】  下半身用の下着を装着した着用補助具を持って椅子に座わり、前記下半身用の下着の足挿入孔に足を通している状態を示した斜視図である。
【符号の説明】
【０００８】        １  張出部
２  柄部
３  溝部
４  着装部
５  結合部
６  張出部下端
７  張出部上端
８  胴挿入孔
９  足挿入孔
【図１】
2009082666.tif 000003
【図２】
2009082666.tif 000004
【図３】
2009082666.tif 000005
【図４】
2009082666.tif 000006
【図５】
2009082666.tif 000007
(57)【要約】【課題】  脱いだブーツが、玄関で倒れておこる汚れの付着や、シワによる型崩れを防ぐための、携帯ブーツホルダーを提供する。【解決手段】  クリップの両先端部分にネジ付伸縮自在の４本の棒を設け、クリップと一体化させ、クリップと平行に先端にプレートを設け、伸縮棒をブーツの長さまで伸ばして、双方の筒の内部に差込み、ブーツの底部にあてて双方の履き口の内側をクリップで挟んだことを特徴とする携帯ブーツホルダー。【選択図】図１
2009082663.tif 000002
【特許請求の範囲】
【請求項１】
クリップの両先端部分にネジ付伸縮自在の４本の棒を設け、クリップと一体化させ、クリップと平行に先端にプレートを設け、伸縮棒をブーツの長さまで伸ばして、双方の筒の内部に差込み、ブーツの底部にあてて双方の履き口の内側をクリップで挟んだことを特徴とするブーツホルダー。
【発明の詳細な説明】
【技術分野】
【０００１】  本発明は、脱いだブーツが玄関先で倒れて付着する汚れや、筒部を折りたたんで生じる型崩れ防ぎ、立てて置いておくことができ、筒内の通気性が良くなる携帯ブーツホルダーに関するものである。
【背景技術】
【０００２】  従来、外出先などでブーツを脱いだ時は、筒部を立掛けるか折りたたんで置いておくことしかできなく、倒れると汚れが付着したり、たたむと型が崩れる等の心配があった。
なお、折りたたみ式で開く物やスプリング式で立てる携帯ブーツスタンドの発明が知られている。
【発明の開示】
【発明が解決しようとする課題】
【０００３】    そのために、次のような問題点があった。
（イ）倒れて付着した汚れは、素材によっては落ちにくく、また、天候の悪い日の玄関は汚れもひどく、掃うだけでは取れない汚れが付着していた。
（ロ）折りたたんで置くと、皮素材の場合など、素材によっては折りシワがつき、型崩れしていた。
（ハ）家庭用のブーツスタンドはあるが、外出先で使用する為の携帯ブーツスタンドが数少ない。
本発明は、これらの問題点を解決するためになされたものである。
【問題を解決するための手段】
【０００４】  クリップの両先端部分にネジ付伸縮自在の４本の棒を設け、クリップと一体化させる。クリップと平行に先端にプレートを設け、伸縮棒をブーツの長さまで伸ばし、双方の筒の内部に差込み、ブーツの底部にあてて双方の履き口の内側をクリップで挟んだもので、ブーツを立てたまま置く事ができ、汚れの付着や型崩れがなく、筒内部の通気性もある。以上を特徴とする携帯ブーツホルダーである。
【発明の効果】
【０００５】  本発明は、どこでもブーツを立てて置くことができる。伸縮棒の自在性で底面の形状や筒の長さが自由に調節でき、クリップで双方の履き口を挟むことによっていかなる形状や素材の物であってもブーツを美しく立てて置くことができる。したがって、汚れの付着や型崩れの心配もなく、通気性も良くなる。
また、伸縮棒を戻す事でコンパクトになり、携帯することができ、伸縮棒を外せば通常のクリップとして使用できる。
【発明を実施するための最良の形態】
【０００６】  以下、本発明の実施の形態を説明する。
（イ）硬化プラスチック製からなるクリップ（１）の先端部分に、片面２つずつの穴を        両端に設ける。
（ロ）鉄メッキ製からなる両端ネジ付伸縮棒（２）４本のそれぞれの凹部（３）を片面        ２つずつ設けた穴に埋め込み固定する。
（ハ）両端ネジ付伸縮棒（２）４本のそれぞれの凸部（４）を凹部（３）に取り付ける        。
（ニ）鉄メッキ製からなるプレート２枚（５）に各２ヶ所ずつの穴をあけ、取り付けた        両端にネジ付伸縮棒（２）の先端キャップ（６）を外してプレート（５）をクリ        ップの面に平行になる様に両端ネジ付伸縮棒（２）に通し、先端キャップ（６）        を固定する。
本発明は、以上の構成よりなるので本発明を使用するときは、上記のプレート（５）を持ち両端ネジ付伸縮棒（２）をブーツの長さまで引き伸ばし、双方の筒の中に入れる。
ブーツの形はさまざまであり、底部がハイヒールの場合は上から平行に両端ネジ付伸縮棒（２）押し沈め、底面の形に長さを変える事ができる。このとき、プレート（５）が２本の両端ネジ付伸縮棒（２）のバランスを保つため、長さの調整が簡単にできる。ブーツの底面に合わせ両端ネジ付伸縮棒（２）の調整をしたら、クリップ（１）で双方のブーツの履き口の内側を挟むので更に安定して立てて置くことができる。
よって、倒れて汚れが付着したり、筒部が折れて生じる型崩れの心配がなく、筒の内部の通気も良くなる。
更に、両端ネジ付伸縮棒（２）はクリップ（１）の凹部（３）から着脱が可能であるので、シーズンオフには通常のクリップとして使用する事ができる。
【図面の簡単な説明】
【０００７】
【図１】本発明の斜視図
【図２】本発明の分解斜視図
【図３】本発明の使用状態を示す斜視図
【符号の説明】
【０００８】      １  クリップ
２  両端ネジ付伸縮棒
３  凹部
４  凸部
５  プレート
６  先端キャップ
【図１】
2009082663.tif 000003
【図２】
2009082663.tif 000004
【図３】
2009082663.tif 000005
(57)【要約】【課題】バランスのある栄養食品を摂りながら尚且つ継続的容易なダイエット食品を提供する。【解決手段】本案の、雑穀類とこんにゃくを炊飯米粒大にしたダイエット健康食品は、栄養バランスがあり食物繊維も豊富な雑穀類とコレステロールを下げる効果や整腸作用に優れるとされるノンカロリーのこんにゃくの両者を混合加熱し凝固させたものを炊飯米粒大にしたものを米と一緒に混ぜ炊飯して食することにより、継続的にバランスある栄養を摂取しながらダイエットを容易にする食品となる。【選択図】なし【特許請求の範囲】
【請求項１】
雑穀類を粉状又は顆粒状にしたものを、摩り下ろしたこんにゃく芋若しくはこんにゃく芋の精粉と水酸化カルシウム又は石灰水溶液で混ぜ合わせ加熱し凝固させ、なおかつ炊飯米粒大に形成した食品。
【請求項２】
請求項１記載の食品は重量比で雑穀類が１０〜７０％であることを特徴とする請求項１記載の食品。
【請求項３】
請求項１又は請求項２のいずれかに記載した食品を米と混合し炊飯したことを特徴とする炊飯米。
【請求項４】
請求項３に記載の炊飯米において、炊飯前に着色用添加物を添加して炊飯した請求項３に記載の炊飯米。
【発明の詳細な説明】
【技術分野】
【０００１】  考案した食品及び炊飯米は、雑穀類（大麦、きび、あわ、黒豆、緑豆、小豆、ごま、黒米、アマランサス、その他の雑穀）とこんにゃくを混合し凝固したものでありなおかつ米と一緒に炊飯出来るように炊飯米粒大に形成したもので、ダイエットしながら栄養摂取が出来るダイエット健康食品としてのメリットの発揮できるように工夫したものである。
【背景技術】
【０００２】  雑穀類やこんにゃくは従来から別々にあり、雑穀類にはカルシウムやカリウム鉄分等のミネラルや食物繊維が豊富に含み、こんにゃくはノンカロリーでダイエット食品として又、コレステロールを下げる効果や整腸作用に優れるとされている、その両者を融合させることに着目した。
【考案が解決しようとする課題】
【０００３】  雑穀類は栄養豊富で身体に良いと知っていても毎日継続的に摂取し続けることはなかなか容易ではなく、同様にダイエットを願望する人にとっても、こんにゃくを毎日継続的に摂取することはなかなか容易ではない。
【課題を解決するための手段】
【０００４】  本発明の第１は雑穀類を粉状又は顆粒状にしたものを、摩り下ろしたこんにゃく芋もしくはこんにゃく芋の精粉と水酸化カルシウム又は石灰水溶液で混ぜ合わせ加熱し凝固させ、なおかつ炊飯米粒大に形成した食品である。第２の発明はその雑穀類が重量比１０〜７０％であることを特徴とした食品である。第３の発明は請求項１又は請求項２のいずれかに記載した食品を米と混合し炊飯したことを特徴とする炊飯米である。第４の発明は請求項３に記載の炊飯米において、炊飯前に着色用添加物を添加して炊飯した炊飯米である。その雑穀類とこんにゃくを融合させ、なおかつ毎日摂取しているご飯に違和感なく混合させ喫食できるようにすれば、毎日継続して摂取し続けることが容易になる。
【考案の効果】
【０００５】  ダイエット願望の方にとっては無理なダイエット方法によりダイエットは達成したものの体調不良や健康障害を誘発した例を多く見聞することの解消、またバランスの良い栄養食物の摂取に悩む人も多く聞く、その方々は雑穀類にバランス良く栄養があり、摂り続けたいと考えている人も多いにもかかわらず、継続することが難しいのが現状であることの解消が可能となる。その見地からこの考案したダイエット栄養食品は画期的効果を得ることができる。
【考案の複合効果】
【０００６】  この他考案の複合効果としては以下のものがある。従来のこんにゃくに比べ、雑穀類が１０〜７０％程度含む事から様々な調味味付け浸透がより容易となり幅広い料理に利用可能となり又その形状を星型、アルファベット文字型、ペット動物型など様々に変えることによりバラエティーに富んだダイエット栄養食品として、幅広い年齢層などにもその用途が広がる。
【実施例】
【０００７】  摩り下ろしたこんにゃく芋若しくはこんにゃく芋の精粉と雑穀類の粉末又は顆粒状にしたものを１０〜７０％の比率で混合し加熱した後、水酸化カルシウム又は石灰水溶液で混ぜ合わせ加熱し凝固させ炊飯米粒大に加工したものを１５％と米８５％を一緒に炊飯し喫食したところ、いわゆる違和感も無く普通のご飯として美味しく食することができた。又、炊飯米粒大で無く薄く板状にし味付け加工したところ、雑穀類が１０〜７０％含まれていることから、従来のこんにゃくより調味味付け浸透が良く口当たりも良かった。
【産業上の利用可能性】
【０００８】  考案した雑穀類とこんにゃくを炊飯米粒大にしたダイエット健康食品は、幅広く一般家庭への普及が見込まれるので、全国のスーパーマーケットや健康食品ショップでの販売が期待される。また、エステティクサロン等での提案や採用その他の普及も期待される。
(57)【要約】【課題】バネ類を使用しないことで扱い易く構造が簡素な、生け捕りにするネズミ捕り器を提供する。【解決手段】▲１▼容器の中心近くに支軸を設ける。これは、容器をシーソーのように作動させるためのものである。▲２▼容器に入ったネズミの自重によって容器が傾き、出口が閉ざされる。その状態を固定させるストッパーとなる磁石を設ける。これら▲１▼、▲２▼を特徴とする、生け捕り用ネズミ捕り器である。【選択図】図２
2009082118.tif 000002
【特許請求の範囲】
【請求項１】
容器をシーソーのように可動させるための支軸を設け、入ったネズミの自重を利用して容器が傾くことで出口を閉ざし捕獲することを特徴とした、シーソー式ネズミ捕り器である。
【発明の詳細な説明】
【技術分野】
【０００１】ネズミを生け捕りにすることを目的とするネズミ捕り器に関するものである。
【背景技術】
【０００２】従来市販の生け捕り用のネズミ捕り器は、金網の容器に閉じ込めるものやネズミを挟んで捕らえるものであり、何れも様々なバネを作動させる構造のものである。
【発明の開示】
【発明が解決しようとする課題】
【０００３】従来の市販品は、金網容器に閉じ込めるものや、またネズミを挟むものについては、ネズミが死んで生け捕りにならないものもあった。何れも餌に連動した留め金を少しの力で作動させようとする金属バネや合成樹脂の弾性を利用したバネ式の構造のため、留め金とそれに引っ掛ける餌のセットが微妙で難しいものであった。
バネ類を使用せずに、餌のセットが簡単で確実に生け捕るための課題として
▲１▼出口を閉ざす動力をバネ類に替わって、ネズミの自重を利用する。
▲２▼餌は、他と連動させる事なく単独で簡単にセットできるものとする。
当発明は、これらの課題を解決するためになされたものである。
【問題を解決するための手段】
【０００４】（イ）前後を開放した筒状の容器（１）をシーソーのように作動させるため、ほぼ中心部に支軸（４）を設け、餌を置くための餌台（３）を設ける。
（ロ）外枠（５）にそれぞれネズミの入口（６）と反対側に餌セット口（７）を設ける。
（ハ）傾いた容器を固定させるため、鉄板（９）と磁石（１０）を設ける。
（ニ）容器（１）が傾き、磁石（１０）で固定された状態で前後の開放口（２）を閉ざすため外枠（５）に壁（１２）を前後にそれぞれ設ける。
【発明の効果】
【０００５】餌（１３）は、ただ置くだけでセットでき、入ったネズミ（１１）の自重で容器（１）が傾き、鉄板（９）と磁石（１０）により固定され、入口（６）が壁（１２）によって閉ざされる。バネを使わないことで構造がシンプルとなり、使用方法も簡単になり確実にネズミを生け捕ることができる。
【発明を実施するための最良の形態】
【０００６】（イ）容器（１）の形状は、筒状の前後が開放口（２）となっているもので片側をネズミの入口（６）とし、反対側に餌台（３）を設ける。支軸（４）は、常に入口（６）側に傾くようにわずかに重心ずらして設ける。［図１］
（ロ）外枠（５）に持ち運びのための持手（８）を設け、外枠（５）の前後にネズミの入口（６）とネズミを誘き寄せる餌（１３）をセットするための、餌セット口（７）を設ける。［図１］
（ハ）容器（１）が餌台（３）側に傾いた時、その状態を固定するために容器（１）の底部に鉄板（９）とそれに対応する磁石（１０）を外枠（５）に設ける。［図２］
（ニ）外枠（５）、容器（１）の材質は、中が見える透明で丈夫な合成樹脂や金属製でネズミの刃が立たないものが望ましい。
本発明は、以上のような構造で、使用方法は、以下の順序となる。
（ホ）磁石（１０）を解放して入口（６）を開け、餌セット口（７）から餌（１３）を餌台（３）に乗せる。［図１］
（ヘ）ネズミ（１１）の通ると思われる所にセットする。
（ト）ネズミ（１１）が餌（１３）のところに来て容器（１）が傾くとその状態が磁石（１０）によって固定され、入口（６）及び餌セット口（７）が壁（１２）によって閉ざされ捕獲される。［図２］磁石（１０）を解放させてネズミ（１１）を出す。
（チ）以上（ホ）〜（ト）を繰り返して使用する。
【図面の簡単な説明】
【０００７】
【図１】見取り図。
【図２】ネズミが入ることで容器がシーソーのように動作する説明図。
【符号の説明】
【０００８】          １容器
２開放口
３餌台
４支軸
５外枠
６入口
７餌セット口
８持手
９鉄板
１０磁石
１１ネズミ
１２壁
１３餌
【図１】
2009082118.tif 000003
【図２】
2009082118.tif 000004
(57)【要約】【課題】  光呼吸は光合成の明反応で生じるＡＴＰとＮＡＤＰＨの一部を無駄に消費しているので、光呼吸は全く物質生産には貢献しない。光呼吸は光合成による生産性を低減させている。光呼吸を低減し、光合成による炭素固定率を増大させる効果的な方法はない。【解決手段】  現在の地球大気組成と区分される空間内の大気組成を、低い酸素、高い二酸化炭素状態を作り出し、光呼吸を低減し、光合成による炭素固定率を増大させる。低い酸素、高い二酸化炭素状態を作り出す方法として、区分された空間内で、メタンガス等の炭化水素を燃焼（酸化）させる。酸素が消費され二酸化炭素が発生する等がある。これにより低い酸素、高い二酸化炭素状態を作り出すことにより光呼吸を低減し、光合成による炭素固定率を増大させ植物の物質生産を向上させる。【特許請求の範囲】
【請求項１】
植物の光呼吸を低減し、光合成による炭素固定率を増大させる方法であって、その為に植物の生育空間を低い酸素、高い二酸化炭素状態とすることを特徴とする光呼吸の低減と光合成の炭素固定率の増大方法。
【請求項２】
現在の地球大気組成と区分される空間内の大気組成を低い酸素、高い二酸化炭素状態の植物生育空間をメタンガス等の炭化水素を燃焼（酸化）させることにより作り出す。メタンガスの燃焼（酸化）は酸素が消費され二酸化炭素が発生する。これにより低い酸素、高い二酸化炭素状態を作り出す事を特徴とする請求項１記載の光呼吸の低減と光合成の炭素固定率の増大方法。
【請求項３】
現在の地球大気組成と区分される空間内の大気組成を低い酸素、高い二酸化炭素状態とする為に、区分される空間内に二酸化炭素を発生または、注入し、酸素を消費、排出する事を特徴とする請求項２記載の光呼吸の低減と光合成の炭素固定率の増大方法。
【請求項４】
メタンガス等の炭化水素は石油、天然ガス等の地下資源や有機物のメタン生成菌等による発酵による。またメタンガスを二酸化炭素に変換し、植物に固定することにより、温暖化ガスの低減ともなる事を特徴とする請求項３記載の光呼吸の低減と光合成の炭素固定率の増大方法。
【発明の詳細な説明】
【技術分野】
【０００１】  本発明は、光呼吸の低減と光合成の炭素固定率の増大方法に関する。
【背景技術】
【０００２】  光呼吸とは植物が光照射下において通常の呼吸（酸化的リン酸化）と異なる方法で酸素を消費し二酸化炭素を生成することである。【０００３】  光呼吸は、低酸素下では二酸化炭素の放出は減少し、光呼吸は減少する。また高い二酸化炭素下では光合成による炭素固定の効率が良くなる。【０００４】  なお本発明に関する公知技術として次の非特許文献２を、挙げることが出来る。【０００５】
【非特許文献】  「フリー百科事典ウィキペディア」リブロース１，５ビスリン酸カルボキシラーゼ／オキシゲナーゼ  オキシゲナーゼ反応  ｈｔｔｍ：／／ｊａ．ｗｉｋｉｐｅｄｉａ．ｏｒｇ／ｗｉｋｉ／
【非特許文献】  「学研学習辞典デターベース」二酸化炭素濃度と光合成量  ｈｔｔｍ：／／ｄｂ．ｇａｋｋｅｎ．ｃｏ．ｊｐ／ｊｉｔｅｎ／ｋａ／１２７０２０．ｈｔｍ
【発明の開示】
【発明が解決しようとする課題】
【０００６】  光呼吸は光合成の明反応で生じるＡＴＰとＮＡＤＰＨの一部を無駄に消費しているので、光呼吸は全く物質生産には貢献しない。Ｃ３植物は特に顕著で光合成は２０％〜５０％程度も阻害されているといわれる。光呼吸は光合成による生産性を低減させている。【０００７】  植物は古生代（シルル紀）に、地球大気組成の酸素が減少する中で誕生し、古生代に低い酸素（推定２％）、高い二酸化炭素（推定０．２％）下で最大の生物量となった。その後の地球環境の変化により、現在の大気組成は高い酸素（２１％）、低い二酸化炭素（０．０４％）下にある。なぜ光呼吸が存在するのか、進化の歴史上において、地球環境の変化（白亜紀からの高い酸素組成）に対応する何らかの必要性があり、生物学的な意味があるという考え方もある。光呼吸を必要とする現在の大気組成は、必ずしも植物の好適環境ではない。
【問題を解決する為の手段】
【０００８】  上述の課題を解決する為、本発明は、現在の地球大気組成と区分される空間内の大気組成を植物が誕生し大繁茂した古生代の大気組成である低い酸素、高い二酸化炭素状態を作り出し、光呼吸を低減し、光合成による炭素固定率を増大させる。
【０００９】  古生代の大気組成である低い酸素、高い二酸化炭素状態を作り出す方法として、現在の地球大気組成と区分された空間内で炭化水素等を燃焼（酸化）させる。例えばメタンガス（ＣＨ４）を燃焼（酸化）させると酸素（Ｏ２）が消費され二酸化炭素（ＣＯ２）が発生する。これにより低い酸素、高い二酸化炭素状態を作り出す。
【００１０】
【化１】
2009082120.tif 000002
【００１１】  メタンガス等の炭化水素は石油、天然ガス等の地下資源や有機物のメタン生成菌等による発酵による。
【発明の効果】
【００１２】  以上説明したように本発明によれば、低い酸素、高い二酸化炭素状態の大気組成において、光呼吸の低減、光合成の炭素固定の増大が見られる。それにより植物の物質生産量が増える。またメタンガスを二酸化炭素に変換し、植物に固定することにより、温暖化ガスの低減ともなる。
【発明を実施する為の最良の形態】
【００１３】  本発明は、現在の地球大気組成と区分された空間である低い酸素、高い二酸化炭素状態を作り出すことにより上述の効果を発揮させる方法であり、様々な形態が考えられる。メタンガス等の炭化水素を様々な燃焼（酸化）方法、器具を用いる方法等がある。
【産業上の利用分野】
【００１４】  施設園芸などの農業分野での利用が考えられる。
(57)【要約】      （修正有）【課題】滑り難くて手触りが良く、また、部品点数、組立工数が少なく、コスト低減が図れるハンドルを備えたビデオカメラを提供する。【解決手段】インジェクションモールドで成型されたハンドル本体部１１には、エラストマー樹脂が入り込む溝１１ａが左右に設けてあり、ハンドル本体部１１を金型に取り付け、これにインジェクションモールドでエラストマー樹脂を流し込み成型することにより、エラストマー樹脂のグリップ部１２が、ハンドル本体部１１に食い込んだような状態で成型される。【選択図】図２
2009206729.tif 000002
【特許請求の範囲】
【請求項１】
ビデオカメラ本体の上部に可搬時に使用するハンドルを取り付けたビデオカメラにおいて、
前記ハンドルは、親指を載せるためのハンドル本体部と、エラストマー等の滑り難い材質から成り、親指以外の指を下から当てがうための指掛け部とで構成され、前記指掛け部が前記ハンドル本体部に射出成形にて一体形成されることを特徴とするビデオカメラ。
【発明の詳細な説明】
【技術分野】
【０００１】
本発明は、放送用のビデオカメラに関し、特に、可搬用のハンドル構造に関するものである。
【背景技術】
【０００２】
図１に示すように、一般的に、放送用のビデオカメラ１には、カメラ本体部２の上部にハンドル３’が取り付けられており、ビデオカメラ１を持ち歩く際にハンドル３’を握り、吊り下げるようにして運んでいる。
従来のビデオカメラ１のハンドル３’は、図３に示すように、金属製の本体部１０１の端面にゴムグリップ１０２に設けた溝１０２ａをはめ込み、ハンドルカバー１０３を取付ネジ１０４で固定するとともに、ゴムグリップ１０２が外れない様にハンドルカバー１０３の両端面でゴムグリップ１０２を押さえ付けることによって固定が為されていた。
【０００３】
また、特許文献１には、ビデオカメラ本体に固着されたハンドルの手掛け部の下側に複数種類の指掛け部を交換可能に取り付けることができるようにしたビデオカメラが開示されている。
【０００４】
【特許文献１】特開平７−１４３３７０号公報
【発明の開示】
【発明が解決しようとする課題】
【０００５】
しかしながら、前述の従来技術では、ビデオカメラのハンドルは、部品点数が多く、更に、取付ネジで固定しなければならない為、組立工数も含めコストアップとなってしまうという問題があった。
【０００６】
本発明は、このような従来の事情に鑑みなされたものであり、滑り難くて手触りが良く、また、部品点数、組立工数が少なく、コスト低減が図れるハンドルを備えたビデオカメラを提供することを目的とする。
【課題を解決するための手段】
【０００７】
上述した課題を解決し、目的を達成するため、本発明の請求項１に係る発明は、ビデオカメラ本体の上部に可搬時に使用するハンドルを取り付けたビデオカメラにおいて、前記ハンドルは、親指を載せるためのハンドル本体部と、エラストマー等の滑り難い材質から成り、親指以外の指を下から当てがうための指掛け部とで構成され、前記指掛け部が前記ハンドル本体部に射出成形にて一体形成されることを特徴とする。
【発明の効果】
【０００８】
本発明によれば、滑り難くて手触りが良く、また、部品点数、組立工数が少なく、コスト低減が図れるハンドルを備えたビデオカメラを提供することができるという効果がある。
【発明を実施するための最良の形態】
【０００９】
以下に、本発明の一実施例について、図１、図２を参照しながら説明する。
図１は、放送用のビデオカメラの外観斜視図である。また、図２は、本発明の実施例における放送用のビデオカメラのハンドル構造を示す断面図（図１のＡ―Ａで切断した断面図）である。
ビデオカメラ１には、カメラ本体部２の上部にハンドル３が取り付けられており、ビデオカメラ１を持ち歩く際にハンドル３を握り、吊り下げるようにして運んでいる。
図２に示すように、インジェクションモールドで成型されたハンドル本体部１１には、エラストマー樹脂が入り込む溝１１ａが左右に設けてあり、ハンドル本体部１１を金型に取り付け、これにインジェクションモールドでエラストマー樹脂を流し込み成型することにより、エラストマー樹脂のグリップ部１２が、ハンドル本体部１１に食い込んだような状態で成型される。
このときハンドル本体部１１の樹脂は、ＡＢＳ樹脂、ＰＣ樹脂、ＡＢＳ＋ＰＣ樹脂などが使用される。
【図面の簡単な説明】
【００１０】
【図１】放送用のビデオカメラの外観斜視図である。
【図２】本発明の実施例における放送用のビデオカメラのハンドル構造を示す断面図（図１のＡ―Ａで切断した断面図）である。
【図３】従来の放送用のビデオカメラのハンドル構造を示す断面図である。
【符号の説明】
【００１１】
１：ビデオカメラ、２：カメラ本体部、３：ハンドル、３’：ハンドル、１１：ハンドル本体部、１１ａ：溝、１２：グリップ部、１０１：ハンドル本体部、１０２：ゴムグリップ、１０２ａ：溝、１０３：ハンドルカバー、１０４：取付ネジ。
【図１】
2009206729.tif 000003
【図２】
2009206729.tif 000004
【図３】
2009206729.tif 000005
(57)【要約】【課題】  部品数を抑え且つ携帯性を持たせ、容易に芳香成分を出し入れ、封じることである。【解決手段】  本発明は、芳香成分を収納する容器で芳香成分を出し入れしたり、封じたりする機能を有するフタ部分を付加したものである。  これらの収納容器の外側から押される圧力でフタ部分を押えて閉じ芳香成分を封じる。また外側からの圧力が掛らなくてもフタ部分が勝手に開かないように仮止めできることを特徴とする。【選択図】図１
2009040502.tif 000002
【特許請求の範囲】
【請求項１】
芳香成分を含んだ香料部分（４）を収納するための容器で出来た容器部分（１）を要し、容器部分（１）の表面に芳香成分を出し入れするための開口部分（２）を設けて、開口部分（２）を封じる為の仮止めまたはパッキン機能を要する部分を開口部分（２）の周囲またはフタ部分（３）に付加して、フタ部分（３）が容器部分（１）に付いている芳香収納容器。
【請求項２】
容器部分（１）の開口部分（２）のすぐ内部側に位置する香料部分（４）に穴または切抜きを設け芳香成分の通気および発散を良くし、フタ部分（３）に香料部分（４）からの芳香成分が付着しにくいようにした請求項１記載の芳香収納容器。
【請求項３】
容器部分（１）の開口部分（２）の周囲またはフタ部分（３）を容器部分（１）の外部側に盛り上げることで、香料部分（４）とフタ部分（３）の間に空間をもたせ、フタ部分（３）に香料部分（４）からの芳香成分が付着しにくいようにした請求項１記載の芳香収納容器。
【請求項４】
芳香収納容器に付けてこれを収めて使用する為の外面部分（５）を付した、請求項１〜３記載の芳香収納容器。
【発明の詳細な説明】
【技術分野】
【０００１】    本発明は香料を収納する容器に関するものである。
【背景技術】
【０００２】    しおり等のカード状で香りを楽しめるものがある。しかし、香り成分が逃げやすいものであった。
これまでに、芳香成分が封入されたをマイクロカプセルを含むマイクロカプセル層を設けた芳香しおりがある。（例えば、特許文献１参照。）
また、香り成分をカードに含ませ加熱するものがある。（例えば、特許文献２参照。）
【特許文献１】実用新案登録番号  第３０５５５５５号（図４）
【特許文献２】実用新案出願公告番号  実公平６−３２３８４（図１）
【発明の開示】
【発明が解決しようとする課題】
【０００３】  以上のこれまでのものは、芳香成分を封じにくく、電気的に芳香を出すことを制御し部品数が多く携帯しにくいものであった。【０００４】  これらに対し、部品数を抑え且つ携帯性を持たせ、容易に芳香成分を出し入れ、封じることができることが課題である。
【課題を解決するための手段】
【０００５】  本発明は、芳香成分を収納する容器で芳香成分を出し入れしたり、封じたりする機能を有するフタ部分を付加したものである。
これらの収納容器の外側から押される圧力を利用しフタ部分を押さえて閉じ芳香成分を封じる。また外側からの圧力が掛らなくても上記内容のフタ部分が勝手に開かないように仮止めできることを特徴とする。
【発明の効果】
【０００６】        本発明の芳香容器は、部品数を抑えられ携帯性がある芳香成分を出し入れ、封じることができるという利点を提供できる。
【発明を実施するための最良の形態】
【０００７】      本発明の実施の形態を図１から図６に基づいて説明する。
【実施例】
【０００８】  図１から図３は、本発明の一実施例である。
開口部分２のすぐ内部側に入れた香料部分４の同じ位置には穴また切抜きを設け、フタ部分３に香料部分４からの芳香成分が直接付着しにくいようにする。
片面側の開口部分２から入ってきた空気は香料部分４に開いた切抜きを通り、ここで気化した芳香成分を奪い、反対側の開口部分２から出てくる。
内側の面にパッキンの機能を有する樹脂フィルムを接着したフタ部分３を用意し、この内側に容器部分１を挟み固定する。
これらの構造により、本などの間にこの芳香収納容器を挟み、本を閉じると容器部分１の両面にある開口部分２は、フタ部分３の内側に密着し閉じられ、芳香成分が封じられる。
反対に、本などを開いた状態ではフタ部分３が開き易くなり容器部分１にある開口部分２とフタ部分３が接する面は離れて、芳香成分が出易くなる。また、容器部分１とフタ部分３は仮止めの機能により閉じることができて芳香成分の放出を抑える事ができる。使用しない時に芳香成分の放出を減らせる特徴を持つ。【０００９】  図４から図６は、本発明の２番目の一実施例である。
図４のように、本などに挟まなくても外面部分５に収納してフタ部分３が閉じ芳香成分の放出を抑える事ができる。
容器部分１にある開口部分２の周囲またはフタ部分３を容器部分１の外部側に盛り上げることで、香料部分４とフタ部分３の間に空間をもたせ、フタ部分３に香料部分４からの芳香成分が直接付着しにくいようにする。また開口部分２の周囲またはフタ部分３の内部側に粘着材を使用し、フタ部分３が開きにくいようにできる。
芳香成分を出さない時は外面部分５の収納する部分にこの芳香収納容器を入れフタ部分３が閉じて、芳香成分を出す時には引き出しフタ部分３を開いて使用する。
【産業上の利用可能性】
【００１０】  本の間に挟むためのしおり、服などの胸ポケットに入れておき携帯できる芳香剤、広告や名刺などのカードに付けて利用する芳香の部品などにも利用できる。
【図面の簡単な説明】
【００１１】
【図１】本発明の実施形態を示す１番目の例の芳香収納容器の斜視図
【図２】同芳香収納容器の図１の片面の上面から見た図
【図３】同芳香収納容器の図２におけるＡ−Ａ線断面図
【図４】本発明の実施形態を示す２番目の例の芳香収納容器の斜視図
【図５】同芳香収納容器の図４の上面から見た図
【図６】同芳香収納容器の図５におけるＢ−Ｂ線断面図
【符号の説明】
【００１２】１  容器部分
２  開口部分
３  フタ部分
４  香料部分
５  外面部分
【図１】
2009040502.tif 000003
【図２】
2009040502.tif 000004
【図３】
2009040502.tif 000005
【図４】
2009040502.tif 000006
【図５】
2009040502.tif 000007
【図６】
2009040502.tif 000008
(57)【要約】【課題】  シャンプーやリンス等の液剤の据え置き型ボトルに詰替用パックから詰め替える時、パックの口をすぼめて注ぐが、注ぎ終えるまで手で支えた状態で固定して詰め替えている。しかし、液剤には粘性のあるものが多く、そのためほぼ完全に注ぎ終わるまで時間がかかり、その間ずっと手で支えて固定しているため、手数がかかり煩わしい。  また、注ぎ終わった詰替パックは、中に水を通し、洗って捨てることになっているが、袋の内側が密着し易いため、中に水を通すことがわずらわしく、手数がかかる。【解決手段】液剤詰替用パックを内側から固定する支柱を有することで手で支えておく煩わしさから解放されるようにした。その支柱に３方向に羽根を有しパックの密着を減らし、液剤の流出をスムーズにした。また、支柱と漏斗を取り外し可能とすることで器具の洗浄が容易であり、支柱と漏斗を逆に取付けることで詰替パックの中を洗うことができるようにした。【選択図】図１
2009040501.tif 000002
【特許請求の範囲】
【請求項１】
液剤詰替用パックを内側から固定する支柱を有する漏斗である。
【請求項２】
前記支柱は３方向に羽根を有する請求項１の漏斗である。
【請求項３】
該支柱は漏斗と取り外し可能とする請求項１の漏斗である。
【請求項４】
該支柱と漏斗は取り外して逆方向に取付け可能とする請求項１の漏斗である。
【発明の詳細な説明】
【技術分野】
【０００１】  本発明は、シャンプーやリンス等の液剤の、液剤詰替用パックを固定する漏斗に関するものである。
【背景技術】
【０００２】  現在、シャンプーやリンス等の液剤の据え置き型ボトルに詰替用パックから詰め替える時、パックの口をすぼめて注ぐが、注ぎ終えるまで手で支えた状態で固定して詰め替えている。
【発明の開示】
【発明が解決しようとする課題】
【０００３】  そのために次のような問題点があった。
（イ）液剤には粘性のあるものが多く、そのため、注ぎ終わるまで時間がかかり、その間ずっと手で支えて固定しているため、手数がかかり煩わしい。
（ロ）手がぬれていると詰替パックが滑りやすく、また、中身の液剤が出るにつれてパックの形状が変わるため、パックが安定せず、ボトルの外にこぼし、縁や周囲を汚し易く煩わしい。
（ハ）詰替パック内の残液を最後まで絞り出すために、パックを丸めてしごかないとパックに液が残ってしまい、非常に不経済である。
（ニ）注ぎ終わった詰替パックは、中に水を通し、洗って捨てることになっているが、袋の内側が密着し易いため、中に水を通すことがわずらわしく、手数がかかる。
本発明は、以上の問題点を解決するためになされたものである。
【課題を解決するための手段】
【０００４】    以上の課題を解決するために、第一発明は、液剤詰替用パックを内側から固定する支柱を有することを特徴とする漏斗である。
第二発明は、支柱に３方向に羽根を有することを特徴とする漏斗である。
第三発明は、支柱と漏斗を取り外し可能とすることを特徴とする漏斗である。
第四発明は、支柱と漏斗を逆に取付けることが可能なことを特徴とする漏斗である。
【発明の効果】
【０００５】  第一発明により、詰替用パックを注ぎ終わるまで、手で支えて固定しておく煩わしさが解消でき、中の液剤が完全に出てしまうまで放置しておける。
第二発明により、パックが密着する割合が減り、最後まで液剤を注ぎ出すことができる。
第三発明、第四発明により、器具の洗浄が容易になり、かつ、注ぎ終えたパックに内側を洗うための水の注入が容易になる。
以上のことから、誰にでも簡単に詰替ができ、詰替の煩わしさから解放され、かつ、経済的で環境にも寄与する効果がある。
【発明を実施するための最良の形態】
【０００６】  以下、本発明の実施の形態を説明する。
（イ）図４に示すようにボトル６の口の内径に漏斗１の足２の外径が一致する漏斗１を設ける。この漏斗１は液剤の流れが確認できるように透明な材質とする。
（ロ）その漏斗１に、図１に示すように、ボトルに入れる足２の内側中央から円錐の回転軸上に、支柱３を設ける。この支柱３は図４に示すように、詰替パックに挿入し、内側から固定するために、先端を細める。支柱３の太さはパックの口に入る太さであるが、内部でパック内壁との密着を防ぎ、液剤の流れを良くするため、先端部分から基部まで弓矢の羽のように３方向に羽根４を有する。羽根４は漏斗の足２で支柱３を固定するため、３方向に足２の内径まで羽根４の翼幅を広げる。
（ハ）その支柱３の長さは、パックを長方形と見たときの対角線程度の長さを設ける。
（ニ）支柱３の強度は、パックの重量に負けて曲がらない程度の強度を持つ。
（ホ）漏斗の足２と支柱３は容易に取り外せるものとする。取り外して洗浄可能とするがパックの重さには耐える強度を持つ。
本発明は以上のような構造で、これを使用するときは、詰替パックの注ぎ口を切り、図４のように支柱３をパックの中に付け根まで挿入し、パックの口をすぼめ、漏斗１に収める。次にボトルに漏斗１が付いたパックのまま注ぐと同時に、ボトルに漏斗をセットする。パックの液剤が、ほぼボトルに移りボトルの座りが良くなったら手を離し、液剤が出終わるまで放置する。
パック内部を洗うときは、細い支柱３をパックに残したまま漏斗１だけをはずし、次に漏斗１を逆さに細い支柱３にセットし水を注いで洗う。最後に漏斗１と支柱３をはずし、洗浄して保管する。
【図面の簡単な説明】
【０００７】
【図１】本発明の漏斗と支柱の平面図
【図２】支柱の平面図
【図３】本発明の漏斗と支柱を上から見た図
【図４】本発明の使用方法を示す平面図
【符号の説明】
【０００８】  １  漏斗  ２漏斗の足  ３支柱  ４羽根  ５漏斗の足と接合部
【図１】
2009040501.tif 000003
【図２】
2009040501.tif 000004
【図３】
2009040501.tif 000005
【図４】
2009040501.tif 000006
(57)【要約】      （修正有）【課題】経時的な安定性が向上したラタノプロスト（プロスタグランジンＦ２α誘導体）を含有する点眼液剤の提供。【解決手段】ノニオン系界面活性剤であるポリソルベート８０を含有するラタノプロスト含有点眼液剤。該ポリソルベート８０の含有量は、０．０１〜０．５％（Ｗ／Ｖ）であることが好ましい。該点眼液剤には、ｐＨ調整剤として、リン酸二水素ナトリウム、リン酸水素ナトリウムなど、等張化剤として、塩化ナトリウムなど、防腐剤として、ベンザルコニウム塩化物などを含有することができる。該点眼液剤は、緑内障、高眼圧症に有効である。【選択図】なし【特許請求の範囲】
【請求項１】
ラタノプロストを有効成分とする点眼液剤において、ポリソルベート８０を含むことを特徴とする、経時的な安定性が向上した点眼液剤。
【請求項２】
前記ポリソルベート８０の含有量が０．０１〜０．５％（Ｗ／Ｖ）である請求項１に記載の点眼液剤。
【発明の詳細な説明】
【技術分野】
【０００１】
本発明は、ラタノプロストを有効成分とする安定な点眼液剤に関する。
【背景技術】
【０００２】
ラタノプロストはプロスタグランジンＦ２α誘導体であり、ラタノプロストを有効成分とする点眼液剤は緑内障、高眼圧症を効能・効果として販売されている。
【０００３】
上記の点眼液剤は、安定性試験において数種類の類縁物質が生成されることが知られており保存中の安定性の向上が望まれている。
【発明の開示】
【発明が解決しようとする課題】
【０００４】
例えば、特許文献１にはｐＨを５．０〜６．２５に調整する手段およびε−アミノカプロン酸を添加する手段から選択される少なくとも一つの手段により、ラタノプロストを含有する点眼液を室温保存可能な程度まで安定化させることが開示されている。
【０００５】
【特許文献１】特開２００４−１８２７１９号公報
【０００６】
しかし、開示された技術には改善が必要な点があり、更なる安定性に優れたラタノプロスト点眼液剤の開発は有益である。
【課題を解決するための手段】
【０００７】
上記課題を解決するために試行錯誤した結果、ポリソルベート８０を添加することで経時的な含量低下が抑制され安定性が向上するという新規な事実を見出し、本発明を完成した。
【０００８】
本発明で用いられるポリソルベート８０は薬学的に許容される量であれば特に限定はされないが、点眼液剤全量に対して０．００１〜０．５％（Ｗ／Ｖ）、好ましくは０．０１〜０．１％（W／Ｖ）、特に好ましくは０．０５％（Ｗ／Ｖ）である。
【０００９】
他の添加剤としては通常点眼液剤に使用可能なものであればよく、緩衝剤、等張化剤、防腐剤、ｐＨ調整剤などが挙げられる。
【００１０】
例えば緩衝剤としてはクエン酸ナトリウム、炭酸ナトリウム、ホウ酸、ホウ砂、等張化剤としては塩化ナトリウム、塩化カリウム、防腐剤としては塩化ベンザルコニウム、塩化ベンゼトニウム、ソルビン酸、ｐＨ調整剤としては塩酸、水酸化ナトリウム、リン酸二水素ナトリウム、リン酸水素ナトリウム水和物などが挙げられるがこれらに限定されない。
【発明の効果】
【００１１】
ラタノプロストを有効成分とする点眼液剤を調製する際に、ポリソルベート８０を添加することで、経時的な安定性の向上が可能になる。
【実施例】
【００１２】
本発明を以下の実施例によって説明するが、何ら限定されるものではない。
【００１３】
精製水にリン酸二水素ナトリウム１７０ｍｇ、リン酸水素ナトリウム水和物３６０ｍｇ、塩化ナトリウム７００ｍｇ、ベンザルコニウム塩化物液１００μＬおよび点眼液剤全量に対して０．０５％（Ｗ／Ｖ）のポリソルベート８０を溶解する。この溶液を、予めラタノプロスト５ｍｇを坪量・投入した容器に添加し、本化合物が完全に溶解するまで十分に攪拌後、ｐＨ調整を行い精製水を加えて全量を１００ｍＬとした。この溶液をフィルターで濾過したものをポリエチレン容器に充填し、点眼液剤とした。
【比較例】
【００１４】
実施例と同様の製造方法でポリソルベート８０を使用せずに点眼液剤を調製した。
【安定性試験】
【００１５】
実施例および比較例で製造した点眼液剤を４０℃で２週間および４週間、６０℃で１週間および２週間保存した時のラタノプロストの残存率（％）を表１に記載した。
【００１６】
【表１】
2009040727.tif 000002
【００１７】
表１に示すように、４０℃２週間保存ではポリソルベート８０を添加しなかった比較例の方が添加した実施例よりも残存率の低下が大きく、４週間保存では実施例では変化が軽微であったのに対し、比較例では大幅な残存率の低下がみられた。また、６０℃では１週間保存、２週間保存共に比較例の方が実施例よりも残存率の低下が大きく、特に２週間保存では実施例と比較例の間に顕著な差がみられた。
【００１８】
上記結果より、ラクノプロストを有効成分とする点眼液剤の製造において、ポリソルベート８０の添加により保存中の残存率の低下が抑制され、経時的な安定性の向上が認められた。